【事件の表示】
　平成　２年特許願第１９８１８８号「撮像装置」拒絶査定に対する審判事件［平成　４年　３月１７日出願公開、特開平　４−　８３４８１］について、次のとおり審決する。
【結　論】
　本件審判の請求は、成り立たない。
【理　由】
１.手続の経緯・本願発明
　本願は、平成２年７月２６日に出願されたものであって、その請求項１に係る発明（以下「本願発明」という。）は、平成１０年１０月１４日付け、及び平成１１年５月２４日付け手続補正書で補正された明細書及び図面の記載からみて、特許請求の範囲の請求項１に記載された次のとおりのものである。
「複数色の色フィルタが配列された複数の光電変換素子と、
　前記複数の光電変換素子からの信号を各色毎に加算する加算手段と、
　前記加算手段によって加算された加算信号を水平方向に読み出す水平出力手段と、
　前記加算手段によって各色毎に信号が加算された際に、加算信号の信号レベルが飽和レベルに達しないように、前記光電変換素子で電荷を蓄積する際の蓄積量を制御する制御手段と、　
　前記水平出力手段から出力された前記加算信号を各色毎に分離する色分離手段と、
　前記色分離手段からの各色毎の信号を積分する積分手段と、
　前記積分手段の出力に基いて、撮像のための調整を行う演算制御手段とを有することを特徴とする撮像装置」
２．引用刊行物
　これに対して、原査定の拒絶理由で引用した特開昭６３−１６９１７９号公報（昭和６３年７月１３日出願公開。以下「引用例１」という。）には、「固体撮像装置」に関し、図面と共に下記の事項が記載されている。
ア.「本発明の目的は、イメージャー出力による測光、ＡＦまたはホワイトバランスを行なう場合に必要とされるイメージャー出力を高速でイメージャーから読み出せる固体撮像装置を提供するにある。」（１頁右下欄１０行ないし１４行）
イ．「本発明の固体撮像装置は、二次元的に光電荷蓄積部が配設され、該光電荷蓄積部から垂直シフトレジスタに読み出された電荷を水平シフトレジスタに転送し、上記電荷を信号として読み出す固体撮像装置であって、上記垂直シフトレジスタに読み出された電荷を水平ブランキング期間内に、水平走査線数本分転送する転送手段を具備されてなり、電荷の読み出し時に、読み出しスピードが上記複数本倍となる。」（１頁右下欄１６行ないし２頁左上欄４行）
ウ．「第３図(Ｂ)は、Ｎ＝２の高速駆動モードを示し、１水平ブランキング期間中に２周期分、繰り返すことによって垂直シフトレジスタの２画素分の情報を、水平シフトレジスタに転送し、これを通常駆動モードのクロックパルスで読み出せば、１枚の画像情報が半分の時間で即ち、縦方向に１/２に圧縮された画素を読み出すことが出来る。（中略）このように、(1)イメージャー出力を測光に使用する場合、通常測光情報とはフォトダイオードから転送された光量に比例する電荷量を積分して得られるので、本発明の如く縦方向に圧縮された画像情報を水平シフトレジスタ内でＮ倍すれば、１/Ｎの時間で従来通りの電荷量の情報が得られ、暗い場合でも高速で測光することが可能となる。（中略）(3)ホワイトバランスに適用する場合、縦方向に画像を圧縮することによって、赤、緑、青の各色信号が混じり合わないように各色のフィルターを例えばＲ・Ｇ・Ｂストライプあるいは補色ストライプ状に配列すれば、本発明では高速にホワイトバランスをとれ、すばやい対応が可能となる。」（３頁右上欄９行ないし右下欄１行）
　同じく原査定の拒絶理由で引用した特開平２−７９５７０号公報（平成２年３月２０日出願公開。以下「引用例２」という。）には、「撮像装置」に関し、図面と共に下記の事項が記載されている。
エ．「従来の撮像装置で露出情報（測光情報）を撮像素子から得る場合、撮像素子の出力を１フィールド期間かけて読み出す方法が一般的であった。（中略）このような欠点を解消するものとして、固体撮像素子の電荷を水平転送路上で加算して読み出す方法が提案されている。（中略）この方法によれば、ｎライン分の加算を行えば前記の方法の１/ｎの時間で読み出すことが可能である。（中略）上記のように複数ラインの加算を行うと、発生した電荷が大きい画素では、加算を行う水平転送路上でオーバーフローが発生する恐れがある。（中略）本発明は上記した問題点に鑑みなされたもので、その目的とするところは、正確な露出情報を短時間に得ることの可能な撮像装置を実現することにある。」（２頁左下欄２行ないし右下欄９行）
オ．「第９図はＣＣＤ３の電荷転送の様子を示す説明図である。受光部３ａで発生した電荷は読出しゲート３ｂを介して垂直転送路３ｃに移される。また、受光期間中に受光部に生じた電荷が多すぎたときはＯＦＣＧ（当審注：オーバーフローコントロールゲート）３ｄを介してオーバーフロードレイン３ｅに排出される。ここで、第１０図に示すようにＯＦＣＧ３ｄのレベルを半分にすることができれば、垂直転送路の容量は受光部の４倍になる。このため、フィールド蓄積モードであっても、測光の読出し時に第８図に示したような水平２ライン加算読出しを実行することができる。また、フレーム蓄積モードで測光の読出しを行うのであれば、水平４ライン分を加算して読出することができる。これにより、測光のためのＣＣＤ出力の読出し時間を更に短縮することができる（１/２４０秒）。この水平４ライン加算読出しを行う場合のφＶ，φＨの様子を第１１図に示す。このように、ＯＦＣＧのレベルを変えることで、５ライン，６ライン，−−−，１０ライン加算といった読出しを行うことも可能になる。以上のように、受光部で発生した複数水平ライン分の電荷を水平転送路上で加算してから読み出すようにすることで、測光のための読出しに要する時間を短縮することができ、電荷が水平転送路上でオーバーフローすることもない。」（５頁左下欄９行ないし右下欄１４行）
３．対比   
　そこで、本願発明と引用例１に記載された発明とを対比すると、
(a)引用例１に記載された発明における２次元的に配設された光電荷蓄積部は、光電変換を行うものであり、該光電荷蓄積部には、Ｒ・Ｇ・Ｂストライプ状に配列されたフィルタが配設されるから（上記イ、ウ参照）、かかる光電荷蓄積部は、本願発明における「複数色の色フィルタが配列された複数の光電変換素子」に相当する。
(b)引用例１に記載された発明における水平シフトレジスタは、光電荷蓄積部（光電変換素子）からの信号を各色毎に加算し、加算された信号を水平方向に読み出すものである（上記イ、ウ参照）から、本願発明における「前記複数の光電変換素子からの信号を各色毎に加算する加算手段」、及び「前記加算手段によって加算された加算信号を水平方向に読み出す水平出力手段」に相当する。
(c)引用例１に記載された発明は、水平シフトレジスタから読み出された信号に基いて、測光、ＡＦ、またはホワイトバランスを行うものであり（上記ア、イ参照）、前記ＡＦ、ホワイトバランスは撮像のための調整であり、引用例１に記載された発明が、これらの調整のための演算制御手段を有することは当業者に明らかであるから、かかる演算制御手段は、「演算制御手段」による「撮像のための調整」が「前記積分手段の出力に基づいて」行われる点は別として、水平出力手段の出力信号に基いて、撮像のための調整を行うという点で、本願発明の「演算制御手段」と一致する。
　したがって、本願発明と引用例１に記載された発明は、
「複数色の色フィルタが配列された複数の光電変換素子と、
　前記複数の光電変換素子からの信号を各色毎に加算する加算手段と、
　前記加算手段によって加算された加算信号を水平方向に読み出す水平出力手段と、
　前記水平出力手段の出力信号に基いて、撮像のための調整を行う演算制御手段とを有することを特徴とする撮像装置」
である点で一致し、次の各点で相違する。
(1)本願発明は、「前記加算手段によって各色毎に信号が加算された際に、加算信号の信号レベルが飽和レベルに達しないように、前記光電変換素子で電荷を蓄積する際の蓄積量を制御する制御手段」を備えているのに対して、引用例１に記載された発明は、これを備えていない点
(2)本願発明は、「前記水平出力手段から出力された前記加算信号を各色毎に分離する色分離手段」と、「前記色分離手段からの各色毎の信号を積分する積分手段」を備え、また、「演算制御手段」による「撮像のための調整」は、「前記積分手段の出力に基いて」行われるのに対して、引用例１に記載された発明は、前記「色分離手段」、及び「積分手段」、及び撮像のための調整が前記積分手段の出力に基いて行われることについて明記していない点
４.当審の判断 
相違点(1)について
　引用例２には、水平転送路（加算手段）上で信号が加算された際に、加算信号の信号レベルがオーバーフローしないように、受光部（光電変換素子）で電荷を蓄積する際の蓄積量（オーバーフローコントロールゲートＯＦＣＧのレベル）を制御することが記載されている（上記エ、オ参照）から、引用例１に記載された発明において、「前記加算手段によって各色毎に信号が加算された際に、加算信号の信号レベルが飽和レベルに達しないように、前記光電変換素子で電荷を蓄積する際の蓄積量を制御する制御手段」を設けることは、当業者が格別の創意工夫を要することなくなし得ることである。
相違点(2)について
　引用例１に記載された発明は、イメージャー出力による測光、ＡＦまたはホワイトバランスを行なう場合に必要とされるイメージャー出力を高速でイメージャーから読み出せる固体撮像装置を提供することを目的とするものである（上記ア参照）が、このようなイメージャー出力により測光、ＡＦまたはホワイトバランスを行う固体撮像装置においては、イメージャーの出力信号（水平出力手段の出力）を各色毎に分離し、分離した各色毎の信号を積分してイメージャーの２次元的領域の測光あるいは測色情報を得、この積分した信号に基いて、ＡＦやホワイトバランス等の調整を行うことが普通に行われ、常套手段と認められる（必要であれば、特開昭６１−１０１１８８号公報、特開平２−６３２９２号公報参照）から、引用例１に記載された発明において、「前記水平出力手段から出力された前記加算信号を各色毎に分離する色分離手段」と、「前記色分離手段からの各色毎の信号を積分する積分手段」を設け、「演算制御手段」による「撮像のための調整」を、「前記積分手段の出力に基づいて」行うように構成することは、当業者が格別の創意工夫を要することなくなし得ることである。
　そして、本願発明の構成によりもたらされる効果も引用例１、２に記載された発明及び前記常套手段から当業者が容易に予測し得る程度のものであり、格別のものではない。
５.むすび
　以上のとおりであるから、本願発明は、引用例１、２に記載された発明及び前記常套手段に基いて当業者が容易に発明をすることができたものと認められるので、特許法２９条２項の規定により、特許を受けることができない。
　よって、結論のとおり審決する。